(57)【要約】【課題】各種電子機器に用いられるレバースイッチに関し、生産性に優れ、使い易いものを提供することを目的とする。【解決手段】共通接点１４及び固定接点１５の端子部１４Ａと１５Ａが下面から延出した上面開放の箱形の下ケース１１上に、同じく端子部１６Ａと１７Ａが上面から延出した下面開放の箱形の上ケース１２を載置し、これら上下ケース内にレバー１３や可動接点１８を収納してレバースイッチを構成することによって、一つのスイッチを配線基板へ上下いずれかの向きで装着して、左右いずれの方向からの操作も可能な、使い分けの必要がなく、生産性に優れ、使い易いものを得ることができる。【選択図】  図１
2004311192.tif 000002
【特許請求の範囲】
【請求項１】
内底面または内側壁に共通接点及び固定接点が植設された上面開放の箱形の下ケースと、同じく共通接点及び固定接点が植設され、上記下ケース上に載置された下面開放の箱形の上ケースと、これら上下ケース内に一端を支点として回動可能に収納され、他端の操作部が上記上下ケース側壁の開口部から外方へ突出したレバーと、このレバーの回動によって、上記共通接点または固定接点の少なくとも一方と接離を行う可動接点からなり、上記共通接点及び固定接点の端子部を、上記上ケース上面及び下ケース下面から延出させたレバースイッチ。
【請求項２】
可動接点の固定接点への弾接箇所に切込みを設け、複数の接点部を形成した請求項１記載のレバースイッチ。
【請求項３】
上ケース上面及び下ケース下面中央に、複数の突起部を設けた請求項１記載のレバースイッチ。
【発明の詳細な説明】
【０００１】
【発明の属する技術分野】
本発明は、各種電子機器において、記録媒体の有無やメカニズムの動作検出等に用いられるレバースイッチに関するものである。
【０００２】
【従来の技術】
近年、ビデオやパソコン等の各種電子機器の小型化や高機能化が進む中、これらのテープやディスク等の記録媒体の有無、或いはメカニズムの動作検出等に用いられる検出用のレバースイッチにおいても、小型薄型で配線基板等への装着も容易なものが求められている。
【０００３】
このような従来のレバースイッチについて、図５および図６を用いて説明する。
【０００４】
図５は従来のレバースイッチの断面図、図６は同分解斜視図であり、同図において、１は絶縁樹脂製で上面開放の箱形のケース、２は同じく絶縁樹脂製のレバーで、ケース１内底面の右上方には円柱状の支持軸１Ａが形成され、この支持軸１Ａにレバー２右端の軸孔２Ａが挿入されて、レバー２がケース１内に回動可能に収納されると共に、左端の操作部２Ｂがケース１側壁の開口部１Ｂから外方へ突出している。
【０００５】
また、３は導電金属薄板製の共通接点、４は同じく導電金属薄板製の固定接点で、共通接点３下端が折曲されケース１下内側壁に植設されると共に、固定接点４はケース１の右内側壁にインサート成形等によって植設固定されている。
【０００６】
そして、共通接点３の端子部３Ａはケース１の左右側壁下面から、固定接点４の端子部４Ａはケース１の下側壁下面から、各々外方へ延出している。
【０００７】
また、５は略Ｖ字状で弾性金属薄板製の可動接点で、一端の略コの字状に折曲された固定部５Ａが、ケース１下内側壁の共通接点３下端に弾接すると共に、他端の接点部５Ｂが固定接点４上方のケース１右内側壁へ弾接し、中間の折曲部５Ｃがレバー２下面の駆動部２Ｃに弾接している。
【０００８】
さらに、これらレバー２や共通接点３、固定接点４、可動接点５を収納したケース１の上面をカバー６が覆い、レバー２が右端の軸孔２Ａを支点とし、ケース１の内底面と平行方向に回動可能に保持されて、レバースイッチが構成されている。
【０００９】
そして、このように構成されたレバースイッチは、上下面に複数の配線パターンが形成された配線基板（図示せず）上に載置され、ケース１側壁から外方へ延出した端子部３Ａと４Ａが、所定の配線パターンに半田付けされて、機器の電子回路に電気的に接続される。
【００１０】
以上の構成において、テープやディスク等の記録媒体の挿抜、或いは扉等のメカニズムの動作に伴い、ピンやプレート（図示せず）等によって、レバー２の操作部２Ｂが右方向から押圧操作されると、軸孔２Ａを支点としてレバー２が下方向へ回動するため、下面の駆動部２Ｃによって可動接点５が押圧されて撓み、接点部５Ｂがケース１右内側壁を下方向へ弾接摺動して固定接点４に接触し、可動接点５を介して共通接点３と固定接点４が電気的に接続される。
【００１１】
また、レバー２の操作部２Ｂへの操作力が解除されると、可動接点５の弾性復帰力によって、駆動部２Ｃが上方向に押圧されてレバー２が上方向へ回動すると共に、接点部５Ｂも固定接点４から離れ、図５の状態に復帰するように構成されている。
【００１２】
なお、上記とは逆に、機器によってはピンやプレート等が左方向から移動するものもあり、この場合には、レバー２の左端を支点として右端の操作部が回動するレバースイッチが必要となる。
【００１３】
このため、上記したケース１とは別に、内底面の左上方に円柱状の支持軸が形成されたケースを用意しておき、このケース内にレバー２や可動接点５を、上記とは左右逆に収納して、左端を支点としてレバー２が回動する、押圧操作が逆方向のレバースイッチが製作されるものであった。
【００１４】
なお、この出願の発明に関連する先行技術文献情報としては、例えば、特許文献１が知られている。
【００１５】
【特許文献１】
特開２００１−２９７６６０号公報
【００１６】
【発明が解決しようとする課題】
しかしながら、上記従来のレバースイッチにおいては、機器によって左右両方向へ操作するスイッチが必要となった場合、レバー２や可動接点５等は同じものを使用できるが、支持軸の位置の異なる二つのケースが必要となり、これらを使い分けてスイッチを製作する必要があるため、スイッチの生産性に劣り、また、機器の配線基板へ装着する際にも、左方向用或いは右方向用と使い分けて装着しなければならないという課題があった。
【００１７】
本発明は、このような従来の課題を解決するものであり、生産性に優れ、配線基板への装着の仕方によって、左右いずれの方向への操作も可能なレバースイッチを提供することを目的とする。
【００１８】
【課題を解決するための手段】
上記目的を達成するために本発明は、以下の構成を有するものである。
【００１９】
本発明の請求項１に記載の発明は、共通接点及び固定接点の端子部が下面から延出した上面開放の箱形の下ケース上に、同じく端子部が上面から延出した下面開放の箱形の上ケースを載置し、これら上下ケース内にレバーや可動接点を収納してレバースイッチを構成したものであり、一つのスイッチを配線基板へ上下いずれかの向きで装着することによって、左右いずれの方向からの操作も可能となるため、使い分けの必要がなく、生産性に優れ、使い易いレバースイッチを得ることができるという作用を有する。
【００２０】
請求項２に記載の発明は、請求項１記載の発明において、可動接点の固定接点への弾接箇所に切込みを設け、複数の接点部を形成したものであり、複数の接点部によって、可動接点と固定接点の安定した接触を得ることができるという作用を有する。
【００２１】
請求項３に記載の発明は、請求項１記載の発明において、上下ケースの上下面中央に複数の突起部を設けたものであり、スイッチを配線基板へ装着する際、複数の突起部を配線基板に設けた孔へ挿入し保持することで、多少の力がスイッチに加わった場合でも、配線基板への保持を確実に行うことができるという作用を有する。
【００２２】
【発明の実施の形態】
以下、本発明の実施の形態について、図１〜図４を用いて説明する。
【００２３】
（実施の形態）
図１は本発明の一実施の形態によるレバースイッチの断面図、図２は同分解斜視図であり、同図において、１１は絶縁樹脂製で上面開放の箱形の下ケース、１２は同じく絶縁樹脂製で下面開放の箱形の上ケースで、この下ケース１１と上ケース１２は外形形状が同一寸法に形成され、上ケース１２が下ケース１１上に載置されている。
【００２４】
また、１３は絶縁樹脂製のレバーで、このレバー１３右端の軸孔１３Ａが、下ケース１１内底面の右上方に形成された円柱状の支持軸１１Ａに挿入されて、レバー１３が下ケース１１と上ケース１２内に、内底面と平行方向に回動可能に収納されると共に、左端の操作部１３Ｂが下ケース１１と上ケース１２側壁の開口部１１Ｂ，１２Ｂから外方へ突出している。
【００２５】
そして、１４は導電金属薄板製の共通接点、１５は同じく導電金属薄板製の固定接点で、共通接点１４下端が折曲されて下ケース１１内底面に植設されると共に、固定接点１５は下ケース１１の左右内側壁にインサート成形等によって植設固定されている。
【００２６】
さらに、上ケース１２の内底面及び左右内側壁には、これら下ケース１１の共通接点１４及び固定接点１５と対向するように、共通接点１６及び固定接点１７（図示せず）が植設固定されている。
【００２７】
また、下ケース１１の左右側壁下面からは共通接点１４の端子部１４Ａが、下側壁下面左右からは固定接点１５の端子部１５Ａが延出すると共に、上ケース１２の左右側壁上面からは共通接点１６の端子部１６Ａが、下側壁上面左右からは固定接点１７の端子部１７Ａが各々外方へ延出している。
【００２８】
さらに、１８は略Ｖ字状で弾性金属薄板製の可動接点で、下ケース１１と上ケース１２内に全体がやや撓んだ状態で収納され、一端の略コの字状に折曲された固定部１８Ａが、下ケース１１と上ケース１２の共通接点１４と１６下端に弾接すると共に、他端には切込みが設けられて、複数の略円弧状の接点部１８Ｂが形成され、この接点部１８Ｂが固定接点１５と１７上方の下ケース１１と上ケース１２右内側壁へ弾接している。
【００２９】
そして、この可動接点１８中間の折曲部１８Ｃがレバー１３下面の駆動部１３Ｃに弾接して、レバー１３を外方へ付勢すると共に、下ケース１１下面と上ケース１２上面中央には、複数の突起部１１Ｃ（図示せず）と１２Ｃが設けられて、レバースイッチが構成されている。
【００３０】
そして、このように構成されたレバースイッチは、図３（ａ）の斜視図に示すように、上下面に複数の配線パターン（図示せず）が形成された配線基板２０上に、下ケース１１を下側、上ケース１２を上側にして載置され、下ケース１１下面の複数の突起部１１Ｃが配線基板２０に設けた複数の孔（図示せず）へ挿入されると共に、下ケース１１下面から延出した端子部１４Ａや端子部１５Ａが、各々所定の配線パターンに半田付けされて、機器の電子回路に電気的に接続される。
【００３１】
以上の構成において、テープやディスク等の記録媒体の挿抜、或いは扉等のメカニズムの動作に伴い、ピンやプレート（図示せず）等によって、レバー１３の操作部１３Ｂが右方向から押圧操作されると、図４の断面図に示すように、右端の軸孔１３Ａを支点としてレバー１３が下方向へ回動する。
【００３２】
そして、レバー１３下面の駆動部１３Ｃに押圧されて可動接点１８が撓み、複数の接点部１８Ｂが、下ケース１１と上ケース１２の右内側壁を下方向へ弾接摺動して固定接点１５と１７に接触し、可動接点１８を介して共通接点１４と固定接点１５、及び共通接点１６と固定接点１７との電気的接続が行われる。
【００３３】
なお、この時、可動接点１８の切込みによって形成された複数の接点部１８Ｂが、各々撓みながら固定接点１５と１７に接触するため、可動接点１８と固定接点１５，１７の安定した接触を得ることができる。
【００３４】
さらに、レバー１３や下ケース１１と上ケース１２に極端な力が加わった場合でも、端子部１４Ａや端子部１５Ａが配線基板２０に半田付けされていることに加え、下ケース１１下面の複数の突起部１１Ｃが配線基板２０の複数の孔へ挿入されて保持されているため、スイッチが配線基板２０から外れたり浮き上がったりすることがなく、確実なスイッチ動作を行うことができる。
【００３５】
また、レバー１３の操作部１３Ｂへの操作力が解除されると、可動接点１８の弾性復帰力によって、駆動部１３Ｃが上方向に押圧されてレバー１３が回動すると共に、接点部１８Ｂも固定接点１５や１７から離れ、図１の状態に復帰するように構成されている。
【００３６】
そして、機器によって上記とは逆に、ピンやプレート等が左方向から移動するものに対しては、図３（ｂ）に示すように、スイッチを引っくり返し、下ケース１１を上側、上ケース１２を下側にして配線基板２０上に載置し、上ケース１２から延出した端子部１６Ａと１７Ａを、配線基板２０の配線パターンに半田付けすれば、左方向からの押圧操作によって、左端の軸孔１３Ａを支点としてレバー１３が回動する構成とすることができるため、一つのスイッチで左右いずれの操作方向に対しても使用することができる。
【００３７】
なお、下ケース１１と上ケース１２は、外形形状が同一寸法に形成されると共に、外方へ延出する端子部１４Ａと１６Ａ、端子部１５Ａと１７Ａ、或いは突起部１１Ｃと１２Ｃ等が全て上下対称に形成されているため、配線基板２０の半田付け箇所や、突起部１１Ｃまたは１２Ｃ挿入用の孔等も、全て一種類でスイッチを装着することが可能となる。
【００３８】
このように本実施の形態によれば、一つのスイッチを配線基板２０へ上下いずれかの向きで装着することによって、左右いずれの方向への操作も可能な、使い分けの必要のない、生産性に優れ、使い易いレバースイッチを得ることができるものである。
【００３９】
また、可動接点１８の固定接点１５や１７への弾接箇所に切込みを設け、複数の接点部１８Ｂを形成することによって、可動接点と固定接点の安定した接触を得ることができる。
【００４０】
さらに、上下ケースの上下面中央に複数の突起部１１Ｃと１２Ｃを設けることによって、スイッチを配線基板２０へ装着する際、複数の突起部を配線基板に設けた孔へ挿入し保持できるため、多少の力がスイッチに加わった場合でも、配線基板２０への保持を確実に行うことができる。
【００４１】
なお、以上の説明では、下ケース１１下面と上ケース１２上面の、左右両方の側壁から共通接点１４と１６の端子部１４Ａと１６Ａを、下側壁の左右両方から固定接点１５と１７の端子部１５Ａと１７Ａを各々延出させ、全部で８箇所から端子部を延出させた構成について説明したが、下ケース１１側は右側壁から端子部１４Ａ、右下側壁から端子部１５Ａを、上ケース１２側はこれらと反対側の左側壁から端子部１６Ａ、左下側壁から端子部１７Ａを延出させ、全部で４箇所から延出させた構成としても本発明の実施は可能である。
【００４２】
また、図３に示したように、配線基板２０の半田付け箇所が４箇所設けられている場合には、下ケース１１下面と上ケース１２上面の左右いずれかの、同じ側の４箇所に端子部を延出させてもよい。
【００４３】
さらに、以上の説明では、略Ｖ字状の可動接点１８の固定部１８Ａを共通接点１４と１６に弾接させ、複数の接点部１８Ｂを固定接点１５と１７に接離させる構成について説明したが、この他、様々な形状の可動接点を様々な配置の固定接点に接離させる構成としても、本発明の実施は可能である。
【００４４】
【発明の効果】
以上のように本発明によれば、生産性に優れ、配線基板への装着の仕方によって、左右いずれの方向への操作も可能なレバースイッチを実現できるという有利な効果が得られる。
【図面の簡単な説明】
【図１】本発明の一実施の形態によるレバースイッチの断面図
【図２】同分解斜視図
【図３】同斜視図
【図４】同操作時の断面図
【図５】従来のレバースイッチの断面図
【図６】同斜視図
【符号の説明】
１１  下ケース
１１Ａ  支持軸
１１Ｂ，１２Ｂ  開口部
１１Ｃ，１２Ｃ  突起部
１２  上ケース
１３  レバー
１３Ａ  軸孔
１３Ｂ  操作部
１３Ｃ  駆動部
１４，１６  共通接点
１４Ａ，１６Ａ  端子部
１５，１７  固定接点
１５Ａ，１７Ａ  端子部
１８  可動接点
１８Ａ  固定部
１８Ｂ  接点部
１８Ｃ  折曲部
２０  配線基板
【図１】
2004311192.tif 000003
【図２】
2004311192.tif 000004
【図３】
2004311192.tif 000005
【図４】
2004311192.tif 000006
【図５】
2004311192.tif 000007
【図６】
2004311192.tif 000008